(57)【特許請求の範囲】
【請求項１】
番組の番組情報を保持する番組情報保持手段と、
ユーザー毎に、ユーザーの嗜好を示すキーワードをあらかじめ登録する登録手段と、
前記登録手段で登録された前記キーワードを基準にして、前記番組情報保持手段に保持された前記番組情報を定期的に検索して、ユーザーの嗜好に適した番組の番組情報を検索する番組情報検索手段と、
インターネットを介して、前記番組情報検索手段で検索された番組情報による番組の記録を指示する制御コマンドをユーザーの記録装置に送信する通信手段とを備える
サーバー。
【請求項２】
前記登録手段は、
ユーザー毎に、前記キーワードと共に、前記ユーザーの記録装置で受信可能な放送局を特定する地域情報を登録し、
前記番組情報検索手段は、
前記地域情報に基づいて、ユーザーの記録装置において受信可能な番組で、かつユーザーの嗜好に適した番組の番組情報を検索する
請求項１に記載のサーバー。
【請求項３】
前記登録手段は、
前記ユーザーのユーザーアドレスをさらに登録し、
前記通信手段は、
前記ユーザーアドレス情報を用いて、前記番組情報検索手段で検索された番組情報をユーザーに通知する
請求項１に記載のサーバー。
【請求項４】
前記登録手段は、
前記インターネットを介して前記キーワードの設定及び変更を受け付け、ユーザー情報の一部としてデータベースに登録する
請求項１に記載のサーバー。
【請求項５】
前記制御コマンドは、
検索された番組の放送を特定するソース情報、チャンネル、開始時刻及び終了時刻を含む
請求項１に記載のサーバー。
【請求項６】
番組情報を保持する番組情報保持手段を有するサーバーの制御方法であって、
ユーザー毎に、ユーザーの嗜好を示すキーワードをあらかじめ登録する登録ステップと、
前記登録ステップで登録された前記キーワードを基準にして、前記番組情報保持手段を定期的に検索して、ユーザーの嗜好に適した番組の番組情報を検索する番組情報検索ステップと、
インターネットを介して、前記番組情報検索ステップで検索された番組情報による番組の記録を指示する制御コマンドをユーザーの記録装置に送信する通信ステップとからなる
制御方法。
【請求項７】
前記登録ステップは、
ユーザー毎に、前記キーワードと共に、前記ユーザーの記録装置で受信可能な放送局を特定する地域情報を登録し、
前記番組情報検索ステップは、
前記地域情報に基づいて、ユーザーの記録装置において受信可能な番組で、かつユーザーの嗜好に適した番組の番組情報を検索する
請求項６に記載の制御方法。
【請求項８】
前記登録ステップは、
前記ユーザーのユーザーアドレスをさらに登録し、
前記通信ステップは、
前記ユーザーアドレス情報を用いて、前記番組情報検索手段で検索された番組情報をユーザーに通知する
請求項６に記載の制御方法。
【請求項９】
前記登録ステップは、
前記インターネットを介して前記キーワードの設定及び変更を受け付け、ユーザー情報の一部としてデータベースに登録する
請求項６に記載の制御方法。
【請求項１０】
前記制御コマンドは、
検索された番組の放送を特定するソース情報、チャンネル、開始時刻及び終了時刻を含む
請求項６に記載の制御方法。
【請求項１１】
番組を受信する受信手段と、
ユーザーの嗜好を示すキーワードの入力を受け付ける受付手段と、
インターネットを介して、前記受付手段で受け付けられた前記キーワードをサーバーに送出して前記サーバーに前記キーワードを登録させると共に、前記サーバーから前記キーワードにより特定される番組の記録を指示する制御コマンドを受信する通信手段と、
前記通信手段で受信した制御コマンドに従って、前記受信手段を制御し、前記キーワードにより特定された番組を受信させて記録する記録制御手段とを備える
記録装置。
【請求項１２】
前記通信手段は、
前記ユーザーのユーザーアドレスをさらに前記サーバーに通知する
請求項１１に記載の記録装置。
【請求項１３】
前記受付手段は、
前記キーワードの変更をさらに受け付け、
前記通信手段は、
前記インターネットを介して、前記受付手段で受け付けた前記キーワードの変更を前記サーバーに通知し、前記サーバーに登録した前記キーワードを変更する
請求項１１に記載の記録装置。
【請求項１４】
前記制御コマンドは、
検索された番組の放送を特定するソース情報、チャンネル、開始時刻及び終了時刻を含む
請求項１１に記載の記録装置。
【請求項１５】
受信した番組を記録する記録装置の制御方法であって、
ユーザーの嗜好を示すキーワードの入力を受け付ける受付ステップと、
インターネットを介して、前記受付ステップで受け付けられた前記キーワードをサーバーに送出して前記サーバーに前記キーワードを登録させると共に、前記サーバーから前記キーワードにより特定される番組の記録を指示する制御コマンドを受信する通信ステップと、
前記通信ステップで受信した制御コマンドに従って、前記キーワードにより特定された番組を受信する受信ステップと、
受信した前記番組を記録する記録ステップとからなる
記録装置の制御方法。
【請求項１６】
前記通信ステップは、
前記ユーザーのユーザーアドレスをさらに前記サーバーに通知する
請求項１５に記載の記録装置の制御方法。
【請求項１７】
前記受付ステップは、
前記キーワードの変更をさらに受け付け、
前記通信ステップは、
前記インターネットを介して、前記受付ステップで受け付けた前記キーワードの変更を前記サーバーに通知し、前記サーバーに登録した前記キーワードを変更する
請求項１５に記載の記録装置の制御方法。
【請求項１８】
前記制御コマンドは、
検索された番組の放送を特定するソース情報、チャンネル、開始時刻及び終了時刻を含む
請求項１５に記載の記録装置の制御方法。
【発明の詳細な説明】
【０００１】
【発明の属する技術分野】
本発明は、サーバー、制御方法、記録装置及び記録装置の制御方法に関し、例えばディジタル衛星放送システムに適用することができる。本発明は、ユーザーより提供されたキーワードにより各種番組情報を検索してユーザーが試聴する傾向の強い番組の番組情報を通知することにより、ユーザーにおける番組選択の負担を軽減する。
【０００２】
【従来の技術】
従来、ディジタル衛星放送においては、１つの衛星より多数の番組を提供するようになされており、このような多数の番組よりユーザーの所望する番組を簡易に検索できるようにＥＰＧ（Electronic Program Guide）により番組内容を紹介するようになされている。
【０００３】
すなわち図５は、この種のディジタル衛星放送システムを示すブロック図である。このディジタル衛星放送システム１において、地上局２は、例えば各種番組提供者よりベースバンドによる映像信号ＳＶ、音声信号ＳＡを受け、エンコーダ３Ａ〜３Ｎによりデータ圧縮してトランスポートストリームを生成する。なおここでこの処理は、ＩＴＵ−Ｔ勧告Ｈ．２６２、ＩＳＯ／ＩＥＣ１３８１８−２及びＩＳＯ／ＩＥＣ１３８１８−３に規定された方式による符号化処理、ＩＴＵ−Ｔ勧告Ｈ２２２．０、ＩＳＯ／ＩＥＣ１３８１８−１で規定される方式による多重化処理により実行される。
【０００４】
さらに地上局２は、データサーバー４よりデータ放送用のデータをトランスポートストリームにより生成する。またＥＰＧジェネレータ（ＥＰＧＧＥＮ）５は、各番組提供者より放送予定のデータを取得し、この放送予定より、番組名、番組の内容の紹介、今後の放送スケジュール等によるＥＰＧを生成し、トランスポートストリームにより出力する。
【０００５】
多重化装置（ＭＵＸ）６は、これらエンコーダ３Ａ〜３Ｎ、データサーバー４、ＥＰＧジェネレータ５より出力されるトランスポートストリームを時分割多重化処理し、１つの多重化ストリームを作成する。変調回路（ＭＯＤ）７は、この多重化ストリームを変調する。地上局２においては、このようにして複数番組を多重化してなる変調信号を複数生成し、これら複数の変調信号を周波数多重化してアンテナ８より衛星９にアップリンクする。
【０００６】
ユーザー側においては、衛星９よりダウンリンクされる放送波をアンテナ１０により受信し、受信端末１１に入力する。ここで受信端末１１は、ユーザーの選択操作に応動して所定周波数の放送波を選択的に受信して多重化ストリームを復調する。さらにこの多重化ストリームより所望のパケットを選択して映像信号及び音声信号によるトランスポートストリームを再生し、このトランスポートストリームより映像信号及び音声信号を再生する。
【０００７】
ユーザー側においては、この映像信号及び音声信号をモニタ装置１５によりモニタし、これにより所望の番組を選択できるようになされている。このようにして放送を試聴するにつき、受信端末１１においては、ユーザーの操作により、ＥＰＧの内容をモニタ装置１５に表示し、これにより放送スケジュール等を確認して所望の番組を試聴できるようになされている。
【０００８】
なおこの種の受信端末においては、電話回線１２を介して、有料番組の試聴結果、さらには有料番組の試聴予約を顧客管理システム１４に通知できるようになされている。
【０００９】
【発明が解決しようとする課題】
ところでこの種のディジタル放送においては、多数のチャンネルにより番組が提供されることにより、ユーザーにおいては、多くの番組の中から希望する番組を試聴することになり、その分希望する番組を見つけ出すことが困難になる問題がある。
【００１０】
従来の受信端末においては、この番組選択の負担を軽減するために、チャンネルの登録により、多くのチャンネルより好みのチャンネルを素早く選択できるようになされている。しかしながらこのようにしても、ユーザーの試聴したい番組が登録したチャンネル以外のチャンネルで放送される場合もあり、この場合は、この番組を見逃してしまうことになる。
【００１１】
またＥＰＧを利用して所望する番組を選択する場合でも、結局は多くの番組より所望する番組を選択することになる。
【００１２】
またＥＰＧを利用しても、複数の放送事業者より番組の提供を受ける場合には、各放送事業者毎にそれぞれＥＰＧを検索する必要があり、さらには地上波の放送にあっては、ＥＰＧのような番組情報が提供されないことにより、結局、新聞、雑誌等の他のメディアを介して番組情報を取得することになる。
【００１３】
本発明は以上の点を考慮してなされたもので、ユーザーの番組選択の負担を軽減することができるサーバー、制御方法、記録装置及び記録装置の制御方法を提案しようとするものである。
【００１４】
【課題を解決するための手段】
かかる課題を解決するため請求項１又は請求項６に係る発明においては、サーバー及び記録装置の制御方法に適用して、ユーザーの嗜好を示すキーワードを基準にしてユーザーの嗜好に適した番組の番組情報を検索し、所定の通信回線を介して、検索した番組情報による番組の記録を指示する制御コマンドをユーザーの記録装置に送信する。
【００１５】
また請求項１１又は請求項１５に係る発明においては、記録装置又は記録装置の制御方法に適用して、所定の通信回線を介して、所定のサーバーにキーワードを送出すると共に、サーバーからこのキーワードにより特定される番組の記録を指示する制御コマンドを受信し、この受信した制御コマンドに従って、キーワードにより特定された番組を記録する。
【００１７】
請求項１又は請求項６に係る構成によれば、ユーザーの嗜好を示すキーワードを基準にしてユーザーの嗜好に適した番組の番組情報を検索し、所定の通信回線を介して記録の制御コマンドを送出することにより、ユーザーに対して多くの番組よりユーザーの趣味嗜好に適した番組を選択的に提供でき、これにより番組選択の負担を軽減することができる。
【００１８】
また請求項１１又は請求項１５に係る構成によれば、所定のサーバーにキーワードを送出すると共に、サーバーからこのキーワードにより特定される番組の記録を指示する制御コマンドを受信し、この受信した制御コマンドに従って、キーワードにより特定された番組を受信して記録することにより、サーバーにより選択されたユーザーの趣味嗜好に適した番組を選択的に提供でき、これにより番組選択の負担を軽減することができる。
【００２０】
【発明の実施の形態】
以下、適宜図面を参照しながら本発明の実施の形態を詳述する。
【００２１】
（１）第１の実施の形態
（１−１）第１の実施の形態の構成
図１は、本発明の第１の実施の形態に係る番組情報提供システムを示すブロック図である。この番組情報提供システム２０において、サーバー２１は、各ユーザー２２に対して、各ユーザー２２が試聴を希望すると考えられる放送番組の番組情報を提供し、またユーザー２２の設定によりユーザー２２が希望すると考えられる番組の記録を指示する。
【００２２】
すなわちこの番組情報提供システム２０において、サーバー２１は、各種情報源よりディジタル衛星放送、地上波による番組等の番組情報を取得する。ここでサーバー２１は、例えばインターネットを介して、地上波によるテレビジョン放送のキー局２４及び地方局２５より番組名、番組の内容、放送時間等による番組情報を取得し、番組情報データベース２６に登録する。またアンテナ２６Ａ及び２６Ｂによりそれぞれ異なる放送事業者によるディジタル衛星放送システムの放送波を受信し、ＥＰＧ受信装置２７Ａ及び２７Ｂにより各ディジタル衛星放送のＥＰＧを取得する。なおここでＥＰＧ受信装置２７Ａ及び２７Ｂは、ＥＰＧを外部出力できるように構成されたディジタル衛星放送の受信装置である。サーバー２１は、このＥＰＧにより番組情報を同様に番組情報データベース２６に登録する。また雑誌、新聞等により番組情報を提供する番組情報提供者２８より、詳細な番組情報を取得し、この番組情報を番組情報データベース２６に登録する。
【００２３】
ここで番組情報データベース２６は、このサーバー２１によりサービスを提供する地域で受信可能な放送番組の番組情報を蓄積して形成され、この番組情報は、例えば番組名、放送日時、チャンネル、放送地域、出演者、番組の内容を紹介するテキスト等の情報により構成される。
【００２４】
さらにサーバー２１は、このサーバー２１より提供するサービスについて、電話回線等を介してユーザー２２よりリクエストを受け付ける。ここでこのリクエストは、定期的な番組情報の提供要求、アクセスによる番組情報の提供要求、番組の記録予約の要求、提供される番組情報の変更要求等である。
【００２５】
このうち定期的な番組情報の提供要求は、定期的にユーザーの趣味嗜好に適した番組情報の提供を求めるものである。またアクセスによる番組情報の提供要求は、アクセスの際に設定したキーワードに適した番組情報の提供を求める要求である。これに対して番組の記録予約の要求は、提供を受けた番組情報による番組について、ユーザーの指定するビデオテープレコーダ等の記録装置によりこの番組の記録を求める要求であり、提供される番組情報の変更要求は、提供される番組情報の選択基準の変更を求める要求である。
【００２６】
サーバー２１は、例えばインターネットに開設したホームページを介してＨＴＴＰ（Hyper Text Transfer Protocol）により、また電子メールによりこのようなリクエストを受け付ける。
【００２７】
このリクエストにおいて、サーバー２１は、番組情報を提供する為のキーワードを取得し、さらには事前に取得したキーワードの変更を受け付ける。ここでキーワードは、各ユーザー２２の趣味、嗜好を示す単語であり、端末装置等を介してユーザーが入力した単語である。サーバー２１は、例えば映画監督の「黒沢明」の映画を好んで試聴するユーザー２２に対しては、この「黒沢明」の単語を入力するように、ユーザー２２にキーワードの入力を促す。同様に、サッカーの「Ｊリーグ」の試合を好んで試聴するユーザー２２に対しては、この「Ｊリーグ」の単語を入力するように、ユーザー２２にキーワードの入力を促す。
【００２８】
サーバー２１は、定期的な番組情報の提供要求、アクセスによる番組情報の提供要求においては、提供する番組情報について、これらキーワードの入力を求めるのに対し、提供される番組情報の変更要求にあっては、これらキーワードの変更を求める。
【００２９】
サーバー２１は、定期的な番組情報の提供要求にあっては、このようにして取得したキーワードを各ユーザー２２のユーザー情報の一部としてユーザー情報データベース２９に登録する。また提供される番組情報の変更要求にあっては、このユーザーの指定に従ってユーザー情報データベース２９に登録されたキーワードを変更する。ここでユーザー情報は、このようなキーワードの他に、ユーザー２２が受信可能な放送局を特定する所在地等の情報、番組情報の通知に必要なユーザーアドレス等の情報が含まれる。
【００３０】
かくするにつき、ユーザー情報データベース２９は、これらユーザー２２のユーザー情報を記録したデータベースである。
【００３１】
サーバー２１において、データベース管理部３１は、番組情報データベース２６、ユーザー情報データベース２９を管理し、ユーザー２２からのリクエストによりユーザー情報データベース２９を更新する。また一定の期間毎にＥＰＧにより番組情報データベース２６を更新し、さらには電話回線を介してキー局２４、地方局２５等より番組情報を取得して番組情報データベース２６を更新する。
【００３２】
検索エンジン３０は、定期的な番組情報の提供要求があった場合には一定期間である例えば１週間毎に、ユーザー情報データベース２９に記録したキーワードにより番組情報データベース２６より検索する。またアクセスによる番組情報の提供要求があった場合には、この要求と共に取得されるキーワードにより番組情報データベース２６より検索する。
【００３３】
この検索において、検索エンジン３０は、番組情報において、番組の内容を特定する情報にこれらのキーワードが含まれている番組情報を検索する。具体的には、上述した出演者、番組の内容を紹介するテキストデータ、番組検索用の単語等において、データべース管理部３１により指定されるキーワードが含まれている番組情報を検索する。
【００３４】
このとき検索エンジン３０は、併せてユーザー情報データベース２９よりユーザー２２が受信可能な放送局を特定する所在地等の情報を受け、この情報に基づいて番組情報データベース２６を検索することにより、各ユーザーが受信可能な番組で、かつユーザーが試聴する可能性の高い番組について、番組情報を検索する。
【００３５】
さらに検索エンジン３０は、このキーワードにより検索された番組情報をユーザー２２に通知する。これにより検索エンジン３０は、ユーザーの趣味嗜好を示すキーワードより、ユーザーの試聴する傾向の強い放送番組について、その番組情報を各ユーザーに通知する。またアクセスによる番組情報の提供要求があった場合には、その要求に適したユーザーが必要としている番組についての番組情報をユーザーに通知する。
【００３６】
これに対して番組情報の通知によりユーザー２２から番組の記録を求める要求が入力されると、または事前のリクエストによりこのようにして検索された番組について番組の記録が要求されている場合、検索エンジン３０は、電話回線を介してこの番組のタイマーによる記録を指示する。なお、検索エンジン３０においては、該当する番組の放送開始時刻の約２０秒前になると、このタイマーにより記録を指示する。
【００３７】
ここでこの番組の記録の指示は、例えば図２に示すようなテキストデータのように、番組情報の検索に使用したキーワード（KEYWORD ）、番組名(TITLE) 、その番組の放送を特定する地上波、ディジタル衛星放送等の種別を示す情報(SOURCE)、番組提供の事業者を特定する情報(PROVIDER)、チャンネル(CHANNEL) 、番組の開始日時(BEGIN) 、番組の終了日時(END) の情報により記録対象、記録時間等を特定して、記録を指示する制御コマンドと共に発行される。またこの記録の指示は、ユーザーの指定した記録再生装置を特定して実行される。
【００３８】
図３は、ディジタル衛星放送システムの端末装置を示すブロック図である。この端末装置４０は、ディジタル衛星放送を受信すると共に、図１について説明したサーバー２１に各種サービスを要求する。
【００３９】
すなわち端末装置４０において、チューナ４２は、システムコントローラ４３の制御により、アンテナ４４を介して衛星よりダウンリンクされる放送波を受け、ユーザーの所望するチャンネルについて放送波を受信して多重化ストリームを出力する。デマルチプレクサ４５は、システムコントローラ４３の制御により、このチューナ４２より出力される多重化ストリームよりユーザーの所望する番組のパケットを選択して出力する。デコーダ４６は、このパケットによるデータをデータ伸長して処理することにより、映像信号、音声信号、さらにはデータ放送によるデータを復調して出力する。
【００４０】
端末装置４０では、このようにして復調された映像信号及び音声信号がモニタ装置４７、ＶＴＲ等の記録装置４８に出力され、これにより所望の番組を直接に、又はタイムシフトにより試聴できるようになされている。なおデータ放送によるデータについては、例えば専用ポート、ＲＳ２３２Ｃポート等を介して外部機器に出力されるようになされている。
【００４１】
加算回路４９は、このデコーダ４６の出力側に配置されて、デコーダ４６より出力される映像信号及び又は音声信号にシステムコントローラ４３より出力される映像信号及び又は音声信号を加算して出力し、またデコーダ４６より出力される映像信号及び音声信号に代えて、システムコントローラ４３より出力される映像信号及び音声信号を出力する。これにより端末装置４０においては、必要に応じてユーザーインターフェースによるメニュー画面、インターネットに接続して取得した各種情報をモニタ装置４７に表示し、またアラーム音等を出力できるようになされている。
【００４２】
モデム５０は、システムコントローラ４３の制御により電話回線４１に所望のデータを送出し、また電話回線４１を介して所望のデータを取得する。これにより端末装置４０は、必要に応じて顧客管理システム、インターネットに接続できるようになされ、さらにはサーバー２１にサービスの提供を要求し、サーバー２１より番組情報等を取得できるようになされている。
【００４３】
メモリ５１は、システムコントローラ４３の制御により、タイマーによる記録の情報、インターネットを介して取得した各種情報等を保持する。
【００４４】
システムコントローラ４３は、中央処理ユニットであり、操作子Ｍの操作に応動してこの端末装置全体の動作を制御する。すなわちシステムコントローラ４３は、ユーザーによる操作子Ｍの操作に応動してデマルチプレクサ４５を制御し、これによりユーザーの所望する番組を受信する。またシステムコントローラ４３は、ユーザーの操作に応動して記録装置４８の動作を制御することにより、ユーザーの所望する番組を記録装置４８で記録し、またこの記録装置４８に記録した番組を再生する。システムコントローラ４３は、同様にして、インターネットに接続して所望のデータを取得し、この取得した情報を表示する。
【００４５】
これに対してシステムコントローラ４３は、ユーザーがサーバー２１によるサービスを選択すると、所定のメニュー画面を表示する。さらにこのメニュー画面におけるユーザーの操作に応動して、例えばユーザーがアクセスによる番組情報の提供要求を選択すると、モデム５０を駆動してサーバー２１に接続し、このサーバー２１からのダウンロードにより対応するメニュー画面を表示する。これによりシステムコントローラ４３は、サーバー２１からの指示に従ってこのメニュー画面においてユーザーにキーワードの入力を促し、この入力されたキーワードをサーバー２１に通知する。システムコントローラ４３は、この通知に応動してサーバー２１より番組情報が提供されると、この番組情報をモニタ装置４７に表示する。
【００４６】
これに対してユーザーがメニュー画面において、定期的な番組情報の提供要求を選択すると、同様にしてモデム５０を駆動してサーバー２１に接続し、このサーバー２１からのダウンロードにより対応するメニュー画面を表示する。これによりシステムコントローラ４３は、サーバー２１からの指示に従ってこのメニュー画面においてユーザーにキーワード、受信可能な放送等の入力を促し、この入力されたキーワード、受信可能な放送等をサーバー２１に通知する。これによりこの実施の形態では、このようにして入力されたデータがユーザー情報としてユーザー情報データベース２９に記録されることになる。システムコントローラ４３は、このようにして通知するとサーバー２１との間の電話回線を遮断する。
【００４７】
これに対してシステムコントローラ４３は、モデム５０を介してサーバー２１からの呼が入力されると、サーバー２１との間で回線を接続し、この回線を介して入力される番組情報を取得する。システムコントローラ４３は、この取得した番組情報をメモリ５１に記録し、ユーザーの操作によりこの番組情報をモニタ装置４７に表示する。これによりシステムコントローラ４３は、定期的な番組情報の提供要求によってサーバー２１より例えば１週間毎に送出されるユーザーの試聴する傾向の強い番組の番組情報を取得してユーザーに提供する。
【００４８】
これに対してアクセスによる番組情報の提供要求により提供された番組情報を表示した状態で、又は定期的な番組情報の提供要求により提供された番組情報を表示した状態で、ユーザーにより所定のメニューが選択されると、システムコントローラ４３は、番組の記録予約の要求を発行する。ここでシステムコントローラ４３は、サーバー２１との間で回線を接続した後、ユーザーが番組情報の表示画面より選択した番組について、サーバー２１に番組の記録を要求する。
【００４９】
またこの要求により、さらには事前の設定により、番組の開始２０秒前になってサーバー２１より呼が発せられて制御コマンド、図２について上述した情報が入力されると、このサーバー２１の指示に従って記録装置４８にタイマー録画をセットし、さらにはこの情報により特定される番組の受信を開始する。これによりこの実施の形態では、例えば外出先のパーソナルコンピュータ等によっても、サーバー２１を介してこの端末装置４０による番組の録画を指示できるようになされている。
【００５０】
これに対して提供される番組情報の変更要求のメニューが選択されると、システムコントローラ４３は、同様にサーバー２１にアクセスしてユーザーの入力したキーワード、受信可能な放送等を通知する。
【００５１】
（１−２）第１の実施の形態の動作
以上の構成において、番組情報提供システム２０においては（図１）、サーバー２１において、複数の衛星よりダウンリンクされる放送波よりＥＰＧが取得され、これらＥＰＧより番組情報が取得され、番組情報データベース２６に登録される。また電話回線を介して、各地上波放送、さらには詳細な番組情報が取得され、これらの番組情報が番組情報データベース２６に登録される。これによりサーバー２１において、このサーバー２１によりサービスを提供する地域について、受信可能な番組の番組情報がサーバー２１に蓄積される。
【００５２】
このサーバー２１に対して、端末装置４０よりアクセスによる番組情報の提供要求が電話回線等を介して入力されると、番組情報提供システム２０においては、この番組情報の提供要求に付加されたキーワードにより番組情報データベース２６が検索され、今後放送され、かつユーザーが試聴可能な番組の中で、ユーザーの設定したキーワードを有してなる番組情報が選択される。すなわちユーザーが「黒沢明」の単語をキーワードに設定した場合には、黒沢明が監督した映画等についての番組情報が選択され、この番組情報が端末装置４０に通知される。これによりユーザーにおいては、多くの番組の中から、試聴する傾向の強い番組についての番組情報だけが選択的に提供されることになり、その分番組選択の負担が軽減される。
【００５３】
これに対してユーザーにより定期的な番組情報の提供が選択されると、端末装置４０よりユーザーの趣味嗜好を示すキーワードが、ユーザーにおける受信可能な放送等と共に取得され、これらの情報がユーザー情報としてサーバー２１に通知される。サーバー２１においては、これらのユーザー情報が登録されてユーザー情報データベース２９が構築される。
【００５４】
この要求によりサーバー２１では、例えば１週間毎に、このユーザー情報として登録されたキーワード、受信可能な放送により番組情報データベース２６が検索され、アクセスによる番組情報の提供要求の場合と同様にして、ユーザーが試聴する傾向の強い番組について番組情報が検索される。さらにこの検索結果による番組情報が端末装置４０に通知され、この端末装置４０により番組情報がユーザーに提供される。これによりユーザーにおいては、試聴する傾向の強い番組についての番組情報だけが選択的にかつ定期的に提供されることになり、その分番組選択の負担が軽減される。
【００５５】
またユーザーが例えばタイムシフトによりこの種の番組の試聴を望む場合には、ユーザーによる要求によりサーバー２１から放送開始前の所定時刻になると制御コマンドが発行され、この制御コマンドに応動して端末装置４０で番組の録画が開始される。これによりユーザーにおいては、例えば外出先からでも必要に応じて番組を確認して録画を指示することができ、番組選択を簡略化するだけでなく、選択した番組を確実に試聴することが可能となる。
【００５６】
（１−３）第１の実施の形態の効果
以上の構成によれば、種々の情報源より取得した番組情報よりキーワードを基準にしてユーザーの試聴する傾向の強い番組の番組情報を選択してユーザーに通知することにより、多くの番組が放送される場合等であっても、ユーザーにおける番組選択の負担を軽減することができる。
【００５７】
またこのような番組情報の提供をサーバーに要求し、このサーバーから提供される番組情報を表示することによっても、ユーザーにおける番組選択の負担を軽減することができる。
【００５８】
さらにこのようにして提供された番組情報の番組について、記録装置の動作を制御して記録することにより、番組選択を簡略化するだけでなく、選択した番組を確実に試聴することができる。
【００５９】
（２）第２の実施の形態
図４は、本発明の第２の実施の形態に係る番組情報提供システムを示すブロック図である。この番組情報提供システム６０において、端末装置６１は、番組情報の提供を受け、また番組の記録予約の要求を発行する携帯端末装置である。すなわち端末装置６１において、システムコントローラ６２は、図３について上述した端末装置４０におけるシステムコントローラ４３と同様にして、電話回線を介してサーバー２１をアクセスし、定期的な番組情報の提供要求、アクセスによる番組情報の提供要求を発行する。さらにその結果サーバー２１より得られる番組情報をメモリ６３に記録すると共に、このメモリ６３に記録した番組情報を液晶表示パネル（ＬＣＤ）６４に表示する。これによりこの実施の形態では、移動時等にあっても、番組情報を取得できるようになされている。
【００６０】
さらにシステムコントローラ６２は、このようにして形成される番組情報によりユーザーの選択操作に従って番組の記録予約の要求をサーバー２１に発行する。なおここでこの番組の記録予約の要求にあっては、コントローラ７０を指定するアドレスを発行する。
【００６１】
コントローラ７０においては、システムコントローラ７１は、サーバー２１からの呼に応動して電話回線によりサーバー２１との間の回線を接続し、このサーバー２１からの制御によりリモートコマンダ７２を駆動する。ここでリモートコマンダ７２は、各種ＡＶ機器７３を赤外線により遠隔制御できるようになされ、またケーブルを介してこれらＡＶ機器７３を遠隔制御できるようになされている。システムコントローラ７１は、このリモートコマンダ７２の駆動によりサーバー２１からの制御に従って端末装置６１により指定された番組を記録する。
【００６２】
第２の実施の形態によれば、専用端末である端末装置６１により番組情報を受信することにより、移動時等にあっても、多くの番組より所望する番組の番組情報を簡易に取得することができ、その分番組選択を簡略化することができる。またこのようにして提供される番組情報より所望の番組を選択して記録することができる。
【００６３】
さらにサーバー２１からの制御により、専用端末であるコントローラ７０により各種ＡＶ機器７３を遠隔制御して、このようにして選択した番組を記録することにより、各ＡＶ機器間を接続して１の端末装置等により制御困難な場合等にあっても、このようにしてサーバーの制御により所望の番組を記録することができる。
【００６４】
（３）他の実施の形態
なお上述の実施の形態においては、ユーザーが入力したキーワードにより番組を検索する場合について述べたが、本発明はこれに限らず、このキーワードを自動的に設定するようにしてもよい。この場合例えば過去の試聴履歴等によりサーバー側で又はユーザー側でキーワードを自動的に設定する方法等が考えられる。
【００６５】
また上述の実施の形態においては、ユーザーが受信可能な放送について、ユーザーが試聴する傾向の強い番組の番組情報を提供する場合について述べたが、本発明はこれに限らず、ユーザーが受信可能な放送以外であっても、ユーザーの地域で試聴可能な番組についても通知するようにしてもよい。
【００６６】
また上述の第１の上述の実施の形態においては、ディジタル衛星放送の受信端末に本発明を適用する場合について述べたが、本発明はこれに限らず、ケーブルテレビ放送、従来の地上波によるテレビジョン放送等の受信端末に広く適用することができる。
【００６７】
また上述の実施の形態においては、テレビジョン放送に本発明を適用する場合について述べたが、本発明はこれに限らず、音楽番組の放送等についても広く適用することができる。
【００６８】
【発明の効果】
上述のように本発明によれば、ユーザーより提供されたキーワードにより各種番組情報を検索してユーザーが試聴する傾向の強い番組の番組情報を通知することにより、ユーザーにおける番組選択の負担を軽減することができる。
【図面の簡単な説明】
【図１】本発明の第１の実施の形態に係る番組情報提供システムを示すブロック図である。
【図２】番組を予約記録するための番組情報の説明に供する図表である。
【図３】端末装置を示すブロック図である。
【図４】第２の実施の形態に係る番組情報提供システムを示すブロック図である。
【図５】従来のディジタル衛星放送システムを示すブロック図である。
【符号の説明】
１……ディジタル衛星放送システム、１２、２２、４１……電話回線、２０、６０……番組情報提供システム、２６……番組情報データベース、２９……ユーザー情報データベース、３０……検索エンジン、３１……データベース管理部、４０、６１……端末装置、４３、６２、７１……システムコントローラ、７０……コントローラ
【図１】
0004320814.tif 000002
【図２】
0004320814.tif 000003
【図３】
0004320814.tif 000004
【図４】
0004320814.tif 000005
【図５】
0004320814.tif 000006